(57)【特許請求の範囲】
【請求項１】
爪に装飾を施すネイル装飾方法であって、
爪上にウレタン樹脂を含むベースジェルが塗られるベースジェル塗布過程と、
前記爪上のベースジェルが硬化されるベースジェル硬化過程と、
前記ベースジェル上に、柔軟性をもつ固体状であるとともに中央部が周辺部より厚い形状のウレタン樹脂を含むネイルシート部材が貼着されるシート貼着過程と、
前記ネイルシート部材が硬化されるシート部材硬化過程と、
前記ネイルシート部材上にウレタン樹脂を含むトップジェルが塗られるトップジェル塗布過程と、
前記ネイルシート部材上のトップジェルが硬化されるトップジェル硬化過程とを
含んで成るネイル装飾方法。
【請求項２】
爪に装飾を施すネイル装飾方法であって、
爪上にウレタン樹脂を含むベースジェルが塗られるベースジェル塗布過程と、
前記爪上のベースジェルが硬化されるベースジェル硬化過程と
前記ベースジェル上に、柔軟性をもつ固体状であるとともに中央部が周辺部より厚い形状のウレタン樹脂を含むネイルシート部材が貼着されるシート貼着過程と、
該貼着された前記ネイルシート部材の前記爪からはみ出た箇所がカットされるカット過程と、
該カットされた前記ネイルシート部材が硬化されるシート部材硬化過程と、
前記カットされたネイルシート部材上にウレタン樹脂を含むトップジェルが塗られるトップジェル塗布過程と、
前記ネイルシート部材上のトップジェルが硬化されるトップジェル硬化過程とを
含んで成るネイル装飾方法。
【請求項３】
前記シート貼着過程において、前記ネイルシート部材は熱が加えられ柔らかくされ前記ベースジェル上に貼着される
ことを特徴とする請求項１または請求項２に記載のネイル装飾方法。
【請求項４】
前記ネイルシート部材は、ウレタンアクリレートオリゴマーを含む
ことを特徴とする請求項１から請求項３のうちの何れか一項に記載のネイル装飾方法。
【請求項５】
爪に装飾を施すネイル装飾方法であって、
爪上にウレタン樹脂を含むベースジェルが塗られるベースジェル塗布過程と、
前記爪上のベースジェルが硬化されるベースジェル硬化過程と、
前記爪の甘皮から指先の間の略中央部から外方の前記爪上の前記ベースジェル上に、柔軟性をもつ固体状であるとともに中央部が周辺部より厚い形状のウレタン樹脂を含む第１ネイルシート部材が貼着される第１シート貼着過程と、
前記第１ネイルシート部材が硬化されるシート部材硬化過程と、
前記ベースジェル上および第１ネイルシート部材上に、柔軟性をもつ固体状であるとともに中央部が周辺部より厚い形状のウレタン樹脂を含む第２ネイルシート部材が貼着される第２シート貼着過程と、
前記第２ネイルシート部材上にウレタン樹脂を含むトップジェルが塗られるトップジェル塗布過程と、
前記トップジェルが硬化されるトップジェル硬化過程とを
含んで成るネイル装飾方法。
【請求項６】
爪に装飾を施すネイル装飾方法であって、
爪上にウレタン樹脂を含むベースジェルが塗られるベースジェル塗布過程と、
前記爪上のベースジェルが硬化されるベースジェル硬化過程と、
前記爪の甘皮から指先の間の略中央部から外方の前記爪上の前記ベースジェル上に、柔軟性をもつ固体状であるとともに中央部が周辺部より厚い形状のウレタン樹脂を含む第１ネイルシート部材が貼着される第１シート貼着過程と、
該貼着された前記第１ネイルシート部材の前記爪からはみ出た箇所がカットされる第１カット過程と、
該カットされた第１ネイルシート部材が硬化されるシート部材硬化過程と、
前記ベースジェル上および前記カットされた第１ネイルシート部材上に、柔軟性をもつ固体状であるとともに中央部が周辺部より厚い形状のウレタン樹脂を含む第２ネイルシート部材が貼着される第２シート貼着過程と、
前記第１ネイルシート部材および前記第２ネイルシート部材が、前記爪からはみ出た箇所がカットされるとともに、所望の長さにカットされる第２カット過程と、
前記カットされた第２ネイルシート部材上にウレタン樹脂を含むトップジェルが塗られるトップジェル塗布過程と、
前記トップジェルが硬化されるトップジェル硬化過程とを
含んで成るネイル装飾方法。
【請求項７】
前記第１シート貼着過程において、前記第１ネイルシート部材は熱が加えられ柔らかくされ前記ベースジェル上に貼着されるか、または、
前記第２シート貼着過程において、前記第２ネイルシート部材は熱が加えられ柔らかくされ前記ベースジェル上および前記第１ネイルシート部材上に貼着される
ことを特徴とする請求項５または請求項６に記載のネイル装飾方法。
【請求項８】
前記第１・第２ネイルシート部材は、それぞれウレタンアクリレートオリゴマーを含む
ことを特徴とする請求項５から請求項７のうちの何れか一項に記載のネイル装飾方法。
【発明の詳細な説明】
【技術分野】
【０００１】
本発明は、爪に装飾を施すためのネイル装飾方法に関する。
【背景技術】
【０００２】
従来、ネイルサロンでの爪の装飾方法としては、主に下記の３つの方法がある。
第１に、市場の多く占有しているものとして、ジェルネイルと呼称されるものがある。ジェルネイルとは、流動性のある合成樹脂（粘液状）を爪に塗布し紫外線（UV(Ultraviolet)-A）や可視光線（Vis(Visible)）を照射して硬化する光重合（フォトポリマリゼーション）反応を、ネイル材料として利用したものである。具体的には、水飴状のウレタン素材を施術者がお客の爪に塗り、ライトで照射し硬化させるものである。ウレタンは水飴状であり、如何なる爪にも載る(付着し易い)という特徴がある。
装飾は、お客の爪上で硬化したカラージェルに施術者が手作業で行う。
【０００３】
第２に、プラスチックのアクリルの素材を使用した人工爪の技法がある。この技法の手順は下記である。
まず、ボンドで透明のプラスチック付け爪を貼着する。そして、お客の好みの長さに切る。続いて、プライマーを塗布し、アクリルのパウダーをモノマーに付け固体化し、爪の上に塗布し整形して人工爪をつくり、アートを施して仕上げる技法で、１０本の指を仕上げるのに平均２時間位かかる。２週間位で、爪とアクリルの人工爪の隙間から水が入り（アクリルが爪との密着が悪いため）爪の上にカビが生える事が起きるなど衛生面で気を使う技法である。
【０００４】
第３に、マニュキュアの技法がある。施術者が手作業でお客の爪にマニュキュアを塗るものであり、装飾も筆を用いて手作業で行う。
マニュキュアの技法として他に、マニュキュアのフィルムタイプのものがある。例えば、ベース・カラー・トップの３層のマニュキュア素材のフィルムを爪に貼着するものである。
その他、フィルムタイプのものとして、ラバー(ゴム)素材のものがある。ラバー素材は、ベースジェルとの材料の違いや水に弱いこと等により、１〜２日で貼着した爪より剥離する場合がある。
本願に係わる文献公知発明の先行技術文献として、以下のものがある。
【先行技術文献】
【特許文献】
【０００５】
【特許文献１】特許第４１９７７３１号公報
【特許文献２】ＵＳ７，８６１，７３０Ｂ２
【発明の概要】
【発明が解決しようとする課題】
【０００６】
ところで、第１のジェルネイルの技法は、水飴状のウレタン素材を使用するため、施術時間が長いという欠点がある。例えば、施術者がお客の１０本の指の爪に行うのに１時間前後かかる。
また、水飴状のウレタン素材は、ネバネバし施術者の手に意図せず付着する場合が多い。さらに、ウレタン素材の容器の蓋が確実に閉じられてないと、ウレタン素材が吸気して当該容器から漏出や膨出する場合がある。そのため、ネイルサロンでの取り扱い上、衛生の点で好ましくないという問題がある。
加えて、ジェルネイルでの装飾は、施術者が手作業で行うことから時間がかかるととともに、初心者と熟練者との技量の差が大きく、ネイルアートの出来ばえに差が生じる場合がある。また、施術者が手作業で行うため、ネイルアートの幅が狭いという難点がある。
【０００７】
第２のアクリルの素材を使用した人工爪の技法は、爪が蒸散運動できないという欠点がある。蒸散運動とは爪が水分を外に逃がす働きであり、爪が呼吸できないように感じる。
爪と人工爪との接合が１週間程度しかもたないという欠点がある。さらに、装飾用のウレタン絵の具が硬化したウレタンのカラージェルへの載りが悪いという難点がある。また、施術の最後にアセトン系の溶液で未硬化ジェルを拭き取る際に隙間から溶液が浸入するとネイルアートが消える場合がある。
加えて、施術者が装飾を手作業で行うため、第１のジェルネイルの技法と同様、時間がかかり、初心者と熟練者との技量の差が大きくネイルアートの出来ばえに差が生じる場合がある。また、ネイルアートの幅が狭いという難点がある。
【０００８】
第３のマニュキュアの技法は、マニュキュア(ニトロセルロース等を含む)は、爪が蒸散運動できないという欠点がある。また、爪への装飾は、手作業で行うため、第１のジェルネイルの技法と同様、時間がかかり、初心者と熟練者との技量の差が大きく装飾の出来ばえに差が生じる場合がある。また、ネイルアートの幅が狭いという難点がある。
加えて、フィルムタイプのマニュキュアは、２週間程度しか爪への貼着がもたず、２週間程度経過すると剥離する怖れがあるという不都合がある。
また、フィルムタイプのものとして、ラバー(ゴム)素材は、爪が蒸散運動できず、爪への貼着性が低いという問題がある。
【０００９】
本発明は上記実状に鑑み、ネイルアートの施術が容易で短時間で行え、クオリティが高いネイル装飾方法の提供を目的とする。
【課題を解決するための手段】
【００１０】
上記目的を達成すべく、第１の本発明に関わるネイル装飾方法は、爪に装飾を施すネイル装飾方法であって、爪上にウレタン樹脂を含むベースジェルが塗られるベースジェル塗布過程と、前記爪上のベースジェルが硬化されるベースジェル硬化過程と、前記ベースジェル上に、柔軟性をもつ固体状であるとともに中央部が周辺部より厚い形状のウレタン樹脂を含むネイルシート部材が貼着されるシート貼着過程と、前記ネイルシート部材が硬化されるシート部材硬化過程と、前記ネイルシート部材上にウレタン樹脂を含むトップジェルが塗られるトップジェル塗布過程と、前記ネイルシート部材上のトップジェルが硬化されるトップジェル硬化過程とを含んで成る。
【００１１】
第２の本発明に関わるネイル装飾方法は、第１の本発明のネイル装飾方法のシート貼着過程とシート部材硬化過程との間に、貼着された前記ネイルシート部材の前記爪からはみ出た箇所がカットされるカット過程を含んでいる。
【００１２】
第３の本発明に関わるネイル装飾方法は、爪に装飾を施すネイル装飾方法であって、爪上にウレタン樹脂を含むベースジェルが塗られるベースジェル塗布過程と、前記爪上のベースジェルが硬化されるベースジェル硬化過程と、前記爪の甘皮から指先の間の略中央部から外方の前記爪上の前記ベースジェル上に、柔軟性をもつ固体状であるとともに中央部が周辺部より厚い形状のウレタン樹脂を含む第１ネイルシート部材が貼着される第１シート貼着過程と、前記第１ネイルシート部材が硬化されるシート部材硬化過程と、前記ベースジェル上および第１ネイルシート部材上に、柔軟性をもつ固体状であるとともに中央部が周辺部より厚い形状のウレタン樹脂を含む第２ネイルシート部材が貼着される第２シート貼着過程と、前記第２ネイルシート部材上にウレタン樹脂を含むトップジェルが塗られるトップジェル塗布過程と、前記トップジェルが硬化されるトップジェル硬化過程とを含んで成る。
【００１３】
第４の本発明に関わるネイル装飾方法は、第３の本発明のネイル装飾方法の第１シート貼着過程とシート部材硬化過程との間に、貼着された前記第１ネイルシート部材の前記爪からはみ出た箇所がカットされる第１カット過程を含み、かつ、第２シート貼着過程とトップジェル塗布過程との間に、前記第１ネイルシート部材および前記第２ネイルシート部材が前記爪からはみ出た箇所がカットされるとともに所望の長さにカットされる第２カット過程を含んでいる。
【発明の効果】
【００１６】
以上、本発明によれば、ネイルアートの施術が容易で短時間で行え、クオリティが高いネイル装飾方法を実現できる。
【図面の簡単な説明】
【００１７】
【図１】(ａ)は実施形態１のネイル装飾方法において爪に１枚のネイル装飾シートの施術を施した状態を上から見た図であり、(ｂ)は(ａ)のＡ−Ａ線一部断面を含む側面図である。
【図２】(ａ)は実施形態１のネイル装飾方法に用いるネイル装飾シートの平面図であり、(ｂ)は(ａ)のＢ方向矢視図であり、(ｃ)は(ａ)のＣ方向矢視図である。
【図３】ネイル装飾シートを使用したネイルアートの施術法の手順を示す図である。
【図４】実施形態１のネイルアートが行われる指の爪を示す斜視図である。
【図５】指の爪表面と爪先にベースジェルが塗布された状態を示す斜視図である。
【図６】指の爪表面のベースジェル上にネイル装飾シートを貼着した状態を示す斜視図である。
【図７】爪表面からはみ出たネイル装飾シートの箇所をカット(切断)する状態を示す図である。
【図８】トップジェルが爪表面上のネイル装飾シートと爪先に塗布された状態を示す図である。
【図９】(ａ)は実施形態２のネイル装飾方法において爪に第１・第２ネイル装飾シートを用いての施術をした状態を上から見た図であり、(ｂ)は(ａ)のＤ−Ｄ線一部断面を含む側面図である。
【図１０】(ａ)は実施形態２のネイル装飾方法に用いる第１ネイル装飾シートの平面図であり、(ｂ)は(ａ)のＦ方向矢視図であり、(ｃ)は(ａ)のＧ方向矢視図である。
【図１１】(ａ)は実施形態２のネイル装飾方法に用いる第２ネイル装飾シートの平面図であり、(ｂ)は(ａ)のＨ方向矢視図であり、(ｃ)は(ａ)のＩ方向矢視図である。
【図１２】第１・第２ネイル装飾シートを使用したネイルアートの施術法の手順を示す図である。
【図１３】実施形態２のネイルアートが行われる指の爪を示す斜視図である。
【図１４】指の爪表面と爪先にベースジェルが塗布された状態を示す斜視図である。
【図１５】甘皮と指先との間の略半分位のところから外方にかけて爪上のベースジェル上に第１ネイル装飾シートを装着(貼着)した状態を示す斜視図である。
【図１６】爪上の第１ネイル装飾シートをカット(切断)する状態を示す図である。
【図１７】第２ネイル装飾シートを、爪上のベースジェル、第１ネイル装飾シートの上に貼着(装着)した状態を示す図である。
【図１８】爪のサイド、第１・第２ネイル装飾シートをカット(切断)する状態を示す図である。
【図１９】トップジェルを爪上の第２ネイル装飾シートと爪先に塗布した状態を示す図である。
【発明を実施するための形態】
【００１８】
以下、本発明の実施形態について添付図面を参照して説明する。
＜＜実施形態１＞＞
図１(ａ)は、実施形態１のネイル装飾方法において爪３に１枚のネイル装飾シート１の施術を施した状態を上から見た図であり、図１(ｂ)は、図１(ａ)のＡ−Ａ線一部断面を含む側面図である。
実施形態１のネイル装飾(アート)に用いるネイル装飾シート１は、爪に上乗せして装飾を施すためのシートタイプの所謂、人工爪のネイルアート用品である。
【００１９】
実施形態１のネイルアート(ネイル装飾方法)は、指２の爪３上に、ウレタンを含むベースジェル４が塗布され硬化される。そして、硬化されたベースジェル４の上にネイル装飾シート１が貼着され、貼着されたネイル装飾シート１上にウレタン樹脂のトップジェル５が塗布され硬化される。すなわち、固形(固体状)のネイル装飾シート１が爪３上のベースジェル４と最外部に配置されるトップジェル５との間に挟着されるものである。
【００２０】
ネイル装飾シート１は、ベースジェル４上に、ベースジェル４の未硬化ジェルで固着される。なお、未硬化ジェルとは、ジェルネイルを硬化させる際に、紫外線、可視光線等の光とジェルネイルの間にある空気中の酸素(Ｏ２)により、紫外線(ＵＶ(Ultraviolet)−Ａ)、可視光線(Ｖｉｓ(Visible))等の光が遮断され、硬化しないジェルをいう。
なお、ネイル装飾シート１の面に粘着層を設け、粘着層でネイル装飾シート１をベースジェル４に貼着(装着)するようにしてもよい。
【００２１】
ネイル装飾シート１は、ＵＶ、ＬＥＤ(Light Emitting Diode)等の光硬化型のウレタンアクリレートオリゴマーを含むウレタン樹脂が素材に使用される。ネイル装飾シート１に、ウレタンアクリレートオリゴマーを成分とする素材を適用することで、爪３上に貼着(装着)しても爪の蒸散運動を妨げることがない。また、ベースジェル４、トップジェル５ともに、爪３の蒸散運動を制限しないウレタン樹脂を含む素材としている。例えば、ベースジェル４、トップジェル５として、市販のカルジェル(商品名：株式会社MOGA・BROOK製)やエースジェル(商品名：ネイルパートナー株式会社製)を用いることができる。
そのため、被施術者が施術(ネイルアート)後に爪３に息苦しさを感じることがない。
なお、ネイル装飾シート１は、爪の蒸散運動を妨げなければ、ウレタンアクリレートオリゴマーを含むウレタン樹脂以外の成分を含んでも構わない。
【００２２】
図２(ａ)は実施形態１のネイル装飾方法に用いるネイル装飾シート１の平面図であり、図２(ｂ)は図２(ａ)のＢ方向矢視図であり、図２(ｃ)は図２(ａ)のＣ方向矢視図である。
ネイル装飾シート１は、様々な人の手指の爪または足指の爪に沿って載るように、柔軟性をもつ固体(固形)状のシート状(薄片状)に形成されている。
そして、ネイル装飾シート１は、中央部が厚く、周縁部が薄い真中(中央部)が盛り上がる形状の柔軟性をもつ固体状(固形状)に成形され、爪の中央部に高い箇所、所謂、爪のｈigh point(爪が綺麗に見える最も高い箇所)を形成し、アート後に美しく見えるようにしている。なお、ネイル装飾シート１は手の爪のみならず、足の爪にも用いることができる。
【００２３】
ネイル装飾シート１は、図１に示すように、その一端側が指２の甘皮２ａと爪３との境界に位置付けられ、爪先３ｓとほぼ同じ長さ(図７のｃ−ｃ二点鎖線参照)で切断されるような長さ寸法ｓ１を有している。図２(ａ)、(ｃ)に示すネイル装飾シート１の幅寸法ｓ２は、手の爪、足の爪や、性別、体格差等を勘案して設定される。例えば、０．１〜０．３ｍｍ間隔で寸法を変えるように設定し、種々の爪３に適合するように設定してもよい。一方、図２(ｂ)、図２(ｃ)に示すネイル装飾シート１の厚さ寸法は、例えば、中央部の最も厚い箇所の厚さ寸法ｓ３が０．５ｍｍ〜１．５ｍｍ前後であり、周縁部に行くに従い薄くなり、周縁部の最も薄い箇所での厚さ寸法ｓ４が０．１ｍｍ〜０．３ｍｍ前後とされている。
なお、これらの寸法は一例であり、爪の大きさ、被施術者の性別、体格等により適宜選択されるものであり、限定されない。
【００２４】
ネイル装飾シート１は、クリア(透明)なもの、カラーのもの、印刷等でデザインがしてあるもの等があり、また、これらの少なくとも１つ以上を施したものである。例えば、カラーが施された半透明でデザインが施されたもの、透明でデザインが施されたもの、不透明にカラーが施されデザインが施されたもの等々がある。
カラー付き不透明またはカラー付きの透明のネイル装飾シート１は、成形前の素材に色素の顔料を調節して加えることで、色(カラー)付きとすることができる。
【００２５】
ネイル装飾シート１のデザインの印刷は、ネイル装飾シート１を構成するウレタン樹脂のベース上に、インクジェット、シルク印刷等の印刷を施し、その上にポッティング加工などでウレタン樹脂の保護層が形成される等して行われる。なお、本方法は１例であり、デザインに他の方法を用いてもよいのは勿論であり、印刷以外の技法を採用してもよい。
【００２６】
次に、ネイル装飾シート１を使用したネイルアートの施術法の手順について、図３に従って説明する。図３は、ネイル装飾シート１を使用したネイルアートの施術法の手順を示す図である。
ネイル装飾シート１を使用したネイルアートは、例えば、ネイルサロンにおいて、施術者がお客の爪３に施術するものとして説明する。
まず、図４に示すお客の指２の爪３上の油分や水分がクレンザー等で除去される(図３のＳ１０１)。図４は、実施形態１のネイルアートが行われる指２の爪３を示す斜視図である。
【００２７】
続いて、図５に示すように、液状(水飴状)のウレタンを含むベースジェル４が爪表面３ｈと爪先３ｓに塗布される(Ｓ１０２)。図５は、指２の爪表面３ｈと爪先３ｓにベースジェル４が塗布された状態を示す斜視図である。
続いて、爪表面３ｈと爪先３ｓに塗布されたベースジェル４に、ＵＶ(ultraviolet)ライト(図示せず)等で光を照射し、塗布されたベースジェル４を硬化させる(Ｓ１０３)。
続いて、爪表面３ｈと爪先３ｓに付着したベースジェル４の未硬化ジェルをスポンジ等で軽く拭き取る(Ｓ１０４)。
【００２８】
そして、図６に示すように、ネイル装飾シート１を、甘皮２ａと爪３との境界から爪３上におき、ベースジェル４の未硬化ジェルまたは／およびネイル装飾シート１に形成した粘着層で、爪表面３ｈに貼着(装着)する(Ｓ１０５)。図６は、指２の爪表面３ｈのベースジェル４上にネイル装飾シート１を貼着した状態を示す斜視図である。
なお、Ｓ１０５において、ネイル装飾シート１を爪３に貼るに際して、ネイル装飾シート１が貼りずらい場合、例えば爪３にカーブがあってネイル装飾シート１が貼りずらい場合、ウレタン樹脂は熱で柔らかくなるので、ネイル装飾シート１を、ドライヤの熱やヒートライトの熱で温め、柔らかくしてから貼着(装着)するとよい。
続いて、図７に示すように、ハサミ７で爪表面３ｈからはみ出たネイル装飾シート１の箇所を一部または全部カット(切断)する(Ｓ１０６)。図７は、爪表面３ｈからはみ出たネイル装飾シート１の箇所をカット(切断)する状態を示す図である。
【００２９】
そして、指２をＵＶ(ultraviolet)ライト(図示せず)等の照光領域に入れ、爪３上のネイル装飾シート１、ベースジェル４に、光を照射し、硬化させる(Ｓ１０７)。
続いて、図８に示すように、液状(水飴状)のウレタンを含むトップジェル５が爪表面３ｈ上のネイル装飾シート１と爪先３ｓに塗布される(Ｓ１０８)。図８は、トップジェル５が爪表面３ｈ上のネイル装飾シート１と爪先３ｓに塗布された状態を示す図である。
【００３０】
そして、爪３上のネイル装飾シート１の上および爪先３ｓに塗布されたトップジェル５に、ＵＶ(ultraviolet)ライト(図示せず)等で光を照射し、硬化させる(Ｓ１０９)。
最後に、ネイル装飾シート１上および爪先３ｓのトップジェル５の未硬化ジェルをアセトン系の液体であるクレンザー等で拭き取る(Ｓ１１０)。
上記過程を経て、図１に示す１枚のネイル装飾シート１を用いたネイルアートが完成する。
【００３１】
なお、Ｓ１０６では、ネイル装飾シート１を爪３の長さとほぼ同じ長さでカットした場合を例示したが、爪３の長さと異なる所望の長さでカットしてもよい。また、ネイル装飾シート１を爪３の長さとほぼ同じものや、形状が整えられたもの等を用い、Ｓ１０６のカット(切断)の過程を行わないようにしてもよい。
【００３２】
実施形態１のネイル装飾方法によれば、ネイルアートの施術が簡単かつ容易になり、従来、１時間を要していたものが、３０分程度の半分位の時間で済む。そのため、ネイルサロンの作業効率が向上し、収益増加に資することが可能である。
さらに、ネイル装飾シート１に中央部が高い  high point  を形成したので、アート(施術)後の形状が美観に優れ、綺麗な爪の形を造形することが可能である。
【００３３】
また、ネイル装飾シート１に、クリアー(透明)またはカラーまたはデザインのうちの少なくとも１つ以上を施したので、施術者が装飾を手作業で行う必要が解消する。そのため、施術者が上級者であるか初級者であるかでの出来栄えの差がなくなり、平準化したクオリティが高いネイルアートが可能である。
上述の如く、ネイル装飾シート１に、予め色素の顔料、印刷等で装飾を施すので、様々なデザインが可能であり、多くのアートが提供でき、アートの幅が広がる。
【００３４】
加えて、ネイル装飾シート１の素材に蒸散運動を阻害しないウレタンアクリレートオリゴマーのウレタン樹脂を含めば、爪３の蒸散運動を阻害しないので、爪３に息苦しさを感ずることがない。そのため、健康に良く、長期間使用しても健康に害を及ぼすことがないネイルアートが行える。
【００３５】
しかも、従来、１日から２週間の短期間しかもたなかったネイルアートが、ウレタン樹脂を含むベースジェル４、トップジェル５、ネイル装飾シート１を用いることにより、ネイル装飾シート１の爪３への付着性が高く、長期間の維持(４週間程度の長持ち)が可能となる。
したがって、ネイルサロン等での施術が容易で短時間で済み、クオリティが高いネイル装飾(アート)を実現することができる。
【００３６】
＜＜実施形態２＞＞
本発明の実施形態２のネイル装飾方法について説明する。
図９(ａ)は、実施形態２のネイル装飾方法において爪３に第１・第２ネイル装飾シート２１Ａ、２１Ｂを用いての施術をした状態を上から見た図であり、図９(ｂ)は、図９(ａ)のＤ−Ｄ線一部断面を含む側面図である。
【００３７】
実施形態２のネイルアート(ネイル装飾方法)は、実施形態１の１枚のネイル装飾シート１を、２枚の第１・第２ネイル装飾シート２１Ａ、２１Ｂに代替し、エクステンション(長さ出し)するネイルアートとしたものである。
実施形態２の第１・第２ネイル装飾シート２１Ａ、２１Ｂは、実施形態１と同様、爪に上乗せして装飾を施すためのシートタイプの所謂、人工爪のネイルアート用品である。
【００３８】
実施形態２の第１・第２ネイル装飾シート２１Ａ、２１Ｂを用いるネイル装飾方法は、図９(ｂ)に示すように、指２の爪３上に塗布して光硬化させたベースジェル２４上に、指２の上の爪３上の略半分程度から外方にかけて、第１ネイル装飾シート２１Ａがベースジェル２４の未硬化ジェルで装着(貼着)される。
【００３９】
そして、第２ネイル装飾シート２１Ｂが、その下面に形成した粘着層および／またはベースジェル２４の未硬化ジェルによって、指２の甘皮２ａと爪３との境界から外方に爪表面３ｈ上および第１ネイル装飾シート２１Ａの上に覆って装着(貼着)される。そして、トップジェル２５が第２ネイル装飾シート２１Ｂの外面および爪先３ｓを覆って塗布され硬化される。
すなわち、固形(固体状)の複数の第１・第２ネイル装飾シート２１Ａ、２１Ｂが爪３上のベースジェル２４と最外部に配置されるトップジェル２５との間に挟着されるものである。
【００４０】
第１・第２ネイル装飾シート２１Ａ、２１Ｂは、それぞれ爪の中央部に高い箇所、所謂、爪のｈigh point(爪が綺麗に見える最も高い箇所)が形成されるように、中央部が厚く、周縁部が薄い真中が盛り上がる形状の固体のシート状に成形されている。前記したように、第１・第２ネイル装飾シート２１Ａ、２１Ｂは手指の爪のみならず、足指の爪にも用いることができる。
【００４１】
第１・第２ネイル装飾シート２１Ａ、２１Ｂは、ウレタンアクリレートオリゴマーを成分とする素材を適用している。これにより、爪上３に第１・第２ネイル装飾シート２１Ａ、２１Ｂを装着(貼着)しても、第１・第２ネイル装飾シート２１Ａ、２１Ｂが爪の蒸散運動を妨げることがない。また、ベースジェル２４、トップジェル２５も、爪３の蒸散運動を制限しないウレタン樹脂を含む素材としている。例えば、ベースジェル２４、トップジェル２５として、市販のカルジェル(商品名：株式会社MOGA・BROOK製)やエースジェル(商品名：ネイルパートナー株式会社製)を用いることができる。
そのため、被施術者はアート(施術)後、爪３に息苦しさを感じることがない。
なお、第１・第２ネイル装飾シート２１Ａ、２１Ｂは、それぞれ爪の蒸散運動を妨げなければ、ウレタンアクリレートオリゴマーを含むウレタン樹脂以外の成分を含んでも構わない。
【００４２】
図１０(ａ)は実施形態２のネイル装飾方法に用いる第１ネイル装飾シート２１Ａの平面図であり、図１０(ｂ)は図１０(ａ)のＦ方向矢視図であり、図１０(ｃ)は図１(ａ)のＧ方向矢視図である。
図１１(ａ)は実施形態２のネイル装飾方法に用いる第２ネイル装飾シート２１Ｂの平面図であり、図１１(ｂ)は図１１(ａ)のＨ方向矢視図であり、図１１(ｃ)は図１１(ａ)のＩ方向矢視図である。
【００４３】
第１・第２ネイル装飾シート２１Ａ、２１Ｂは、ＵＶ、ＬＥＤ等の光硬化型のウレタンアクリレートオリゴマーを含むウレタン樹脂が使用される。
第１・第２ネイル装飾シート２１Ａ、２１Ｂは、それぞれ中央部が厚く、周縁部が薄い真中が盛り上がる形状の柔軟性をもつ固体(固形)状に成形されており、爪３が綺麗に見えるように、爪３の中央部に高い箇所、所謂、爪のｈigh point(爪が綺麗に見える最も高い箇所)が形成されるようにしている。第１・第２ネイル装飾シート２１Ａ、２１Ｂは手指の爪のみならず、足指の爪にも用いることができる。
【００４４】
第１・第２ネイル装飾シート２１Ａ、２１Ｂは、様々な人の手指の爪または足指の爪に沿って載るように、柔軟性をもつ固体(固形)状のシート状に形成されている。
図１０(ａ)に示すように、第１ネイル装飾シート２１Ａは、その根元２１Ａ１側が爪３の中央付近(甘皮２ａと指先２ｂの中央付近(図１５参照))に位置付けられ爪先３ｓより先の長さ(図１０(ａ)のｅ−ｅ二点鎖線(図１６参照))および所望長さ(図１０(ａ)のｆ−ｆ二点鎖線(図１８参照))で切断されるような長さ寸法ｓ２１を有している。第１ネイル装飾シート２１Ａの幅寸法ｓ２２は、手の爪、足の爪や、性別、体格差等を勘案して設定される。例えば、０．１〜０．３ｍｍ間隔で寸法を変えるように設定し、種々の爪に適合するように設定することが可能である。
【００４５】
図１０(ｂ)、図１０(ｃ)に示す第１ネイル装飾シート２１Ａの厚さ寸法は、例えば、中央部の最も厚い箇所の厚さ寸法ｓ２３が０．５ｍｍ〜１．５ｍｍ前後であり、周縁部に行くに従い薄くなり、周縁部の最も薄い箇所での厚さ寸法ｓ２４が０．１ｍｍ〜０．３ｍｍ前後とされている。
なお、これらの寸法は一例であり、爪の大きさ、被施術者の性別等により適宜選択され、限定されない。
図１１(ａ)に示すように、第２ネイル装飾シート２１Ｂは、その根元２１Ｂ１側が爪３の根元と甘皮２ａとの境界に位置付けられ爪先３ｓより先の第１ネイル装飾シート２１Ａと同じ所望長さ(図１１(ａ)のｆ−ｆ二点鎖線)で切断されるような長さ寸法ｓ２５を有している。第２ネイル装飾シート２１Ｂの幅寸法ｓ２６は、手の爪、足の爪や、被施術者の性別等を勘案して設定される。例えば、０．１〜０．３ｍｍ間隔で寸法を変えるように設定し、種々の爪に適合するように設定することが可能である。
【００４６】
図１１(ｂ)、(ｃ)に示す第２ネイル装飾シート２１Ｂの厚さ寸法は、例えば、中央部の最も厚い箇所の厚さ寸法ｓ２７が０．５ｍｍ〜１．５ｍｍ前後であり、周縁部に行くに従い薄くなり、周縁部の最も薄い箇所での厚さ寸法ｓ２８が０．１ｍｍ〜０．３ｍｍ前後とされている。
なお、これらの寸法は一例であり、爪の大きさ、被施術者の性別等により適宜選択され、限定されるものではない。
【００４７】
第１・第２ネイル装飾シート２１Ａ、２１Ｂは、クリア(透明)なものと、カラーのものと、印刷等でデザインがしてあるものとがあり、また、これらの少なくとも１つ以上を施したものである。例えば、カラーが施された半透明でデザインが施されたもの、透明でデザインが施されたもの、不透明にカラーが施されデザインが施されたもの等々。
カラー付きで不透明またはカラー付きの透明の第１ネイル装飾シート２１Ａは、成形前の素材に色素の顔料を調節して加えることで、成形することができる。第２ネイル装飾シート２１Ｂも同様に成形できる。
【００４８】
第１ネイル装飾シート２１Ａのデザインの印刷は、第１ネイル装飾シート２１Ａを構成するウレタン樹脂のベース上に、インクジェット、シルク印刷等の印刷を施し、その上にポッティング加工などでウレタン樹脂の保護層が形成される等して行われる。なお、本方法は１例であり、デザインは、他の方法を用いてもよいのは勿論であり、また印刷以外の技法を採用してもよい。第２ネイル装飾シート２１Ｂも同様に成形できる。
なお、実施形態２では、第１ネイル装飾シート２１Ａは透明でデザインがないものを用いることとしているが、第１ネイル装飾シート２１Ａをカラー付きやデザインがあるものにしても構わない。
【００４９】
次に、第１・第２ネイル装飾シート２１Ａ、２１Ｂを使用したネイルアートの施術法の手順について、図１２に従って説明する。図１２は、第１・第２ネイル装飾シート２１Ａ、２１Ｂを使用したネイルアートの施術法の手順を示す図である。
第１・第２ネイル装飾シート２１Ａ、２１Ｂを使用したネイルアートは、ネイルサロンにおいて、施術者がお客の爪３にネイルアートを施術するものとして説明する。
まず、図１３に示すお客の指２の爪３上の油分や水分がクレンザー等で除去される(図１２のＳ２０１)。図１３は、実施形態２のネイルアートが行われる指２の爪３を示す斜視図である。
【００５０】
続いて、図１４に示すように、液状(水飴状)のウレタンを含むベースジェル２４が爪表面３ｈと爪先３ｓに塗布される(Ｓ２０２)。図１４は、指２の爪表面３ｈと爪先３ｓにベースジェル２４が塗布された状態を示す斜視図である。
続いて、爪表面３ｈと爪先３ｓに塗布されたベースジェル２４に、ＵＶ(ultraviolet)ライト(図示せず)等で光を照射し、塗布されたベースジェル４を硬化させる(Ｓ２０３)。
続いて、爪表面３ｈと爪先３ｓに付着したベースジェル２４の未硬化ジェルをスポンジ等で軽く拭き取る(Ｓ２０４)。
【００５１】
そして、図１５に示すように、指２の甘皮２ａと指先２ｂとの間の略半分位のところから外方にかけて爪３上に塗布されたベースジェル２４上に、第１ネイル装飾シート２１Ａを装着(貼着)する(Ｓ２０５)。図１５は、甘皮２ａと指先２ｂとの間の略半分位のところから外方にかけて爪３上のベースジェル２４上に第１ネイル装飾シート２１Ａを装着(貼着)した状態を示す斜視図である。
なお、Ｓ２０５において、第１ネイル装飾シート２１Ａを爪３に貼るに際して、第１ネイル装飾シート２１Ａが貼りずらい場合、例えば爪３にカーブがあって第１ネイル装飾シート２１Ａが貼りずらい場合、ウレタン樹脂は熱で柔らかくなるので、第１ネイル装飾シート２１Ａを、ドライヤの熱やヒートライトの熱で温め、柔らかくしてから貼着(装着)するとよい。
【００５２】
続いて、図１６に示すように、ハサミ２７で爪３上の第１ネイル装飾シート２１Ａを適当な長さにカット(切断)(図１６中のｅ−ｅ線二点鎖線)する(Ｓ２０６)。図１６は、爪３上の第１ネイル装飾シート２１Ａをカット(切断)する状態を示す図である。
そして、指２をＵＶ(ultraviolet)ライト(図示せず)等に入れ、爪３上のベースジェル２４、第１ネイル装飾シート２１Ａに、光を照射し、硬化させる(Ｓ２０７)。
【００５３】
続いて、図１７に示すように、第２ネイル装飾シート２１Ｂを、甘皮２ａと爪３との境界から爪３上のベースジェル２４の上、および第１ネイル装飾シート２１Ａの上に、ベースジェル２４の未硬化ジェルまたは／および第２ネイル装飾シート２１Ｂの下面に形成した粘着層によって貼着(装着)する(Ｓ２０８)。図１７は、第２ネイル装飾シート２１Ｂを、爪３上のベースジェル２４、第１ネイル装飾シート２１Ａの上に貼着(装着)した状態を示す図である。
【００５４】
なお、Ｓ２０８において、第２ネイル装飾シート２１Ｂを爪３に貼るに際して、第２ネイル装飾シート２１Ｂが貼りずらい場合、例えば爪３にカーブがあって第２ネイル装飾シート２１Ｂが貼りずらい場合、ウレタン樹脂は熱で柔らかくなるので、第２ネイル装飾シート２１Ｂを、ドライヤの熱やヒートライトの熱で温め、柔らかくしてから貼着(装着)するとよい。
【００５５】
そして、図１８に示すように、ハサミ２７を用いて、爪３のサイドにはみ出た箇所(図１８のｇ−ｇ二点鎖線)を一部または全部カット(切断)するとともに第１・第２ネイル装飾シート２１Ａ、２１Ｂを所望の長さ(図１８のｆ−ｆ二点鎖線)にカット(切断)する(Ｓ２０９)。図１８は、爪３のサイド、第１・第２ネイル装飾シート２１Ａ、２１Ｂをカット(切断)する状態を示す図である。
続いて、図１９に示すように、液状(水飴状)のウレタンを含むトップジェル２５が爪３上の第２ネイル装飾シート２１Ｂと爪先３ｓに塗布される(Ｓ２１０)。図１９は、トップジェル２５を爪３上の第２ネイル装飾シート２１Ｂと爪先３ｓに塗布した状態を示す図である。
【００５６】
そして、爪３に装着(貼着)された第２ネイル装飾シート２１Ｂ上のトップジェル２５をＵＶ(ultraviolet)ライト(図示せず)等の光を照射し、硬化させる(Ｓ２１１)。
最後に、第２ネイル装飾シート２１Ｂ上および爪先３ｓに残留するトップジェル２５の未硬化ジェルをアセトン系の液体であるクレンザー等で拭き取る(Ｓ２１２)。
【００５７】
実施形態２のネイル装飾方法によれば、爪３の上に第１・第２ネイル装飾シート２１Ａ、２１Ｂを重ね、カット(切断)することにより所望の長さにすることができる。すなわち、所望の長さで、重畳した第１・第２ネイル装飾シート２１Ａ、２１Ｂをカット(切断)できるので、ネイルアートの爪の長さが自由に調節できる。
加えて、１枚の人工爪で長さ出しをした場合、柔らか過ぎてフニャフニャしていたものが、爪３の上に第１・第２ネイル装飾シート２１Ａ、２１Ｂを重ねたので、所望の長さでありながら硬さをだせる。
【００５８】
また、従来、付け爪は形を整えることができなかったが、第１・第２ネイル装飾シート２１Ａ、２１Ｂはそれぞれhigh pointを有するので、所望の長さでありながら、アート後に綺麗な爪の形をだすことができ、美観に優れる。
また、ネイルアートの施術が簡単かつ容易になり、従来、１時間を要していたものが、３０分程度の半分位の時間で済む。そのため、ネイルサロンの作業効率が向上し、収益増加に資することが可能である。
また、第１・第２ネイル装飾シート２１Ａ、２１Ｂに、予めクリアー(透明)またはカラーまたはデザインのうちの少なくとも１つ以上を施したので、施術者が装飾を手作業で行う必要が解消する。そのため、施術者が上級者であるか初級者であるかでの出来栄えの差がなくなり、平準化したクオリティが高いネイルアートが可能である。
【００５９】
上述の如く、第１・第２ネイル装飾シート２１Ａ、２１Ｂに、予め色素の顔料、印刷等で装飾を施すので、様々な自由なデザインが可能であり、多くのアートが提供でき、アートの幅が広がる。
加えて、第１・第２ネイル装飾シート２１Ａ、２１Ｂの素材にウレタンアクリレートオリゴマーのウレタン樹脂を含めば、爪３の蒸散運動を阻害しないので、爪３に息苦しさを感ずることがない。
【００６０】
しかも、従来、１日から２週間の短期間しかもたなかったネイルアートが、ウレタン樹脂を含むベースジェル２４、トップジェル２５、第１・第２ネイル装飾シート２１Ａ、２１Ｂを用いることにより、第１・第２ネイル装飾シート２１Ａ、２１Ｂの爪３への付着性が高く、長期間(４週間程度)の維持が可能である
したがって、ネイルサロン等での施術が容易で短時間で済み、クオリティが高いネイルアート(ネイル装飾)を実現することができる。
【００６１】
なお、前記実施形態では、爪の蒸散運動を妨げないネイル装飾シートを例示して説明したが、ウレタン樹脂で爪の蒸散運動を妨げるものも可能である。例えば、シールの上にウレタン樹脂を流し加工したものがある。この場合、シールに細孔を設け、爪の蒸散運動を妨げないようにしてもよい。
或いは、ウレタン樹脂以外の爪の蒸散運動を妨げない素材または妨げる素材を用いたネイル装飾シートとすることも可能である。
しかしながら、ネイル装飾シートにウレタン樹脂を適用すれば、爪３への付着力、耐久性が強く、爪から剥離し難く長持ちする。また、ウレタンアクリレートオリゴマー等の爪の蒸散運動を妨げないウレタン樹脂を用いれば、爪３に息苦しさを感ずることがない。そのため、蒸散運動を妨げないウレタン樹脂を用いることが最も望ましい。
【００６２】
なお、前記実施形態では、ベースジェル、トップジェルにウレタン樹脂を含むものを適用する場合を例示したが、ネイル装飾シートとの相性が良くネイル装飾シートの爪への付着性が高いものであれば、ウレタン樹脂を含まないベースジェル、トップジェルを適用しても構わない。
また、前記実施形態では、ネイル装飾シートが爪の蒸散性を阻害しないウレタン樹脂で成形される場合を例示し、ベースジェル、トップジェルが爪の蒸散性を阻害しないものを適用する場合を例示したが、ネイル装飾シートが爪の蒸散性を阻害するものを適用した場合には、ベースジェル、トップジェルが爪の蒸散性を阻害するものを適用してもよいことは言うまでもない。
【００６３】
なお、前記実施形態では、ネイル装飾シートを光硬化して爪に貼る場合を例示したが、ネイル装飾シートを熱で柔らかくして光硬化して貼る、ネイル装飾シートを熱を加え冷ますことで硬化させ貼る、ネイル装飾シートを経時硬化して貼る等、その他の硬化させて貼着(装着)する方法を適用することとしてもよく、ネイル装飾シートを硬化させて貼着(装着)する方法は限定されない。
また、前記実施形態では、ベースジェル、トップジェルの間に１枚または２枚のネイル装飾シートを使用する場合を例示したが、ベースジェル、トップジェルの間に３枚以上のネイル装飾シートを使用することとしてもよい。この場合、３枚以上のネイル装飾シートのうちの少なくとも何れかを厚さが異なる形状に形成し、施術後の爪に  high point  が形成されるようにして、アート後の爪が綺麗に見える(アート後の爪の美観を高める)ようにするとよい。
【００６４】
しかしながら、前記したように、２枚のネイル装飾シートを使用した場合には、充分な硬度がでるとともに、作業が容易で、短時間で済むので、２枚が望ましい。また、２枚のネイル装飾シートを柔軟性をもつ固体状であるとともに中央部が周辺部より厚い形状に形成すると、アート後の爪が綺麗に見えるので好ましい。
なお、前記実施形態では、例示した施術において、ネイル装飾シートをカットする場合を例示したが、ネイル装飾シートを予め所定の寸法に設定し、被施術者に合ったネイル装飾シートを選択し、ネイル装飾シートをカットしないで、ネイルアートの施術を行うように構成してもよい。
或いは、前記実施形態で例示したネイルアートの施術において、説明したネイル装飾シートをカットする工程をそれらのうちの一部を行うようにしてもよい。
なお、前記実施形態では、ネイルアートをネイルサロンで行う場合を例示したが、本発明をネイルサロン以外で適用することができるのは言うまでもない。
【符号の説明】
【００６５】
１      ネイル装飾シート(ネイルシート部材)
２ａ    甘皮
２ｂ    指先
３      爪
４      ベースジェル
５      トップジェル
２１Ａ  第１ネイル装飾シート(第１ネイルシート部材、ネイルシート部材)
２１Ｂ  第２ネイル装飾シート(第２ネイルシート部材、ネイルシート部材)
２４    ベースジェル
２５    トップジェル
【要約】
【課題】ネイルアートの施術が容易で短時間で行え、クオリティが高いネイル装飾方法を提供する。
【解決手段】本発明に関わるネイル装飾方法は、爪３に装飾を施すネイル装飾方法であって、爪３上にウレタン樹脂を含むベースジェル４が塗られるベースジェル塗布過程と、爪３上のベースジェル４が硬化されるベースジェル硬化過程と、ベースジェル４上に、柔軟性をもつ固体状であるとともに中央部が周辺部より厚い形状のウレタン樹脂を含むネイルシート部材１が貼着されるシート貼着過程と、ネイルシート部材１が硬化されるシート部材硬化過程と、ネイルシート部材１上にウレタン樹脂を含むトップジェル５が塗られるトップジェル塗布過程と、ネイルシート部材１上のトップジェル５が硬化されるトップジェル硬化過程とを含んで成る。
【選択図】図１【図１】
0004843739.tif 000002
【図２】
0004843739.tif 000003
【図３】
0004843739.tif 000004
【図４】
0004843739.tif 000005
【図５】
0004843739.tif 000006
【図６】
0004843739.tif 000007
【図７】
0004843739.tif 000008
【図８】
0004843739.tif 000009
【図９】
0004843739.tif 000010
【図１０】
0004843739.tif 000011
【図１１】
0004843739.tif 000012
【図１２】
0004843739.tif 000013
【図１３】
0004843739.tif 000014
【図１４】
0004843739.tif 000015
【図１５】
0004843739.tif 000016
【図１６】
0004843739.tif 000017
【図１７】
0004843739.tif 000018
【図１８】
0004843739.tif 000019
【図１９】
0004843739.tif 000020